(57)【要約】【課題】高周波数帯域の音に対する吸音効果又は遮音効果を発揮させつつ、共鳴による吸音面積を大きくして低周波数帯域の音に対する吸音率を向上させる。【解決手段】吸音パネル１００は、正面板１と、正面板１と空間を介して対向する背面板２と、正面板１と背面板２とをこれらの外縁において接続する側面板３と、背面板２と側面板３とで構成される容器内に配置された箱体４とを有する。箱体４の内部には、吸遮音室５が形成されており、吸音材５ｘが配置される。箱体４の底部４ａと背面板２とで挟まれた領域には、中空の共鳴管路６が形成されている。共鳴管路６は、正面板１側に配置された入口部６ａから、吸遮音室５と背面板２とで挟まれた領域まで延在している。入口部６ａは、正面板１に沿った面内において、吸遮音室５の入射部５ａと並んでいる。【選択図】図３
2018066774.tif 000002
【特許請求の範囲】
【請求項１】
通音性を有する正面板と、
前記正面板と空間を介して対向し、遮音性を有する背面板と、
前記空間の前記正面板側に配置された入射部を有すると共に少なくとも一部が前記背面板から離隔するように前記空間に設けられ、吸音性及び遮音性の少なくとも一方を有する吸遮音材が配置される吸遮音室と、
前記空間の前記正面板側に配置された入口部であって前記正面板に沿った面内において前記入射部と並ぶ入口部から、前記空間の前記背面板側において前記吸遮音室と前記背面板とで挟まれた領域まで延在する、中空の共鳴管路と、
を備えたことを特徴とする吸音パネル。
【請求項２】
前記吸遮音室の全体が前記背面板から離隔しており、前記空間の前記背面板側の前記背面板に沿った面内全体に前記共鳴管路が設けられていることを特徴とする請求項１に記載の吸音パネル。
【請求項３】
前記背面板における前記正面板と対向する面から前記正面板に向けて突出した突出部と、
前記突出部の先端に配置され、前記空間において前記正面板及び前記背面板のそれぞれと対向し、前記吸遮音室と前記共鳴管路とを仕切る仕切板と、
を備えたことを特徴とする請求項１又は２に記載の吸音パネル。
【請求項４】
前記仕切板からなる底部と前記底部の周縁から前記正面板に向けて延出した側部とを有し、内部に前記吸遮音室が形成される箱体を備えたことを特徴とする請求項３に記載の吸音パネル。
【請求項５】
前記箱体の内部に前記吸遮音材として吸音材が配置され、
前記箱体の側部の少なくとも一部が通音性及び音減衰性を有することを特徴とする請求項４に記載の吸音パネル。
【請求項６】
前記突出部は、先端に前記箱体の底部が配置された第１突出部と、前記第１突出部の側方において前記第１突出部よりも前記正面板に向けてさらに突出して先端に前記正面板が配置された第２突出部とを含み、
前記箱体の側方の空間が、前記第２突出部によって区画され、複数の前記入口部を形成することを特徴とする請求項４又は５に記載の吸音パネル。
【請求項７】
前記正面板の少なくとも一部が音減衰性をさらに有することを特徴とする請求項１〜６のいずれか１項に記載の吸音パネル。
【請求項８】
前記吸遮音室と前記背面板とで挟まれた領域に、管路長が互いに異なる複数の前記共鳴管路が形成されていることを特徴とする請求項１〜７のいずれか１項に記載の吸音パネル。
【請求項９】
前記吸遮音室と前記背面板とで挟まれた領域に、前記入口部に接続する一端から前記背面板に沿った一方向に延在する第１管路部と前記第１管路部の他端に接続して前記他端から前記一方向と逆の方向に延在する第２管路部とを有する前記共鳴管路が形成されていることを特徴とする請求項１〜８のいずれか１項に記載の吸音パネル。
【請求項１０】
前記吸遮音室と前記背面板とで挟まれた領域に、当該吸音パネルの厚み方向に並ぶ複数の前記共鳴管路が形成されていることを特徴とする請求項１〜９のいずれか１項に記載の吸音パネル。
【発明の詳細な説明】
【技術分野】
【０００１】
本発明は、音を吸収することができる吸音パネルに関する。
【背景技術】
【０００２】
吸音パネルにおいて、高周波数帯域の音を吸音材や遮音材で低減し、低周波数帯域の音を中空の共鳴管で低減するという技術が知られている。例えば特許文献１では、正面板と背面板との間の空間において、吸音材と共鳴管とが交互に配置されている。
【先行技術文献】
【特許文献】
【０００３】
【特許文献１】特開２００８−１５１１１号公報
【発明の概要】
【発明が解決しようとする課題】
【０００４】
特許文献１の構成では、共鳴管が吸音材と同一層に配置されているため、共鳴による吸音面積を大きくすることが困難であり、低周波数帯域の音（例えば、レシプロ圧縮機等を音源とする音）に対する吸音率を向上させることができない。
【０００５】
本発明の目的は、高周波数帯域の音に対する吸音効果又は遮音効果を発揮させつつ、共鳴による吸音面積を大きくして低周波数帯域の音に対する吸音率を向上させることが可能な吸音パネルを提供することである。
【課題を解決するための手段】
【０００６】
本発明に係る吸音パネルは、通音性を有する正面板と、前記正面板と空間を介して対向し、遮音性を有する背面板と、前記空間の前記正面板側に配置された入射部を有すると共に少なくとも一部が前記背面板から離隔するように前記空間に設けられ、吸音性及び遮音性の少なくとも一方を有する吸遮音材が配置される吸遮音室と、前記空間の前記正面板側に配置された入口部であって前記正面板に沿った面内において前記入射部と並ぶ入口部から、前記空間の前記背面板側において前記吸遮音室と前記背面板とで挟まれた領域まで延在する、中空の共鳴管路と、を備えたことを特徴とする。
【０００７】
本発明によれば、共鳴管路が、正面板側に配置された入口部から、吸遮音室と背面板とで挟まれた領域まで延在する。つまり、共鳴管路が、吸遮音室と同一層に配置された部分と、吸遮音室よりも背面板側に配置された部分とを有する。これにより、共鳴による吸音面積を大きくすることができる。したがって、本発明によれば、吸遮音室を設けることで高周波数帯域の音に対する吸音効果又は遮音効果を発揮させつつ、共鳴管路を上記のように構成することで共鳴による吸音面積を大きくして低周波数帯域の音に対する吸音率を向上させることができる。
【０００８】
前記吸遮音室の全体が前記背面板から離隔しており、前記空間の前記背面板側の前記背面板に沿った面内全体に前記共鳴管路が設けられてよい。この場合、共鳴による吸音面積をより確実に大きくすることができ、低周波数帯域の音に対する吸音率をより一層向上させることができる。
【０００９】
本発明に係る吸音パネルは、前記背面板における前記正面板と対向する面から前記正面板に向けて突出した突出部と、前記突出部の先端に配置され、前記空間において前記正面板及び前記背面板のそれぞれと対向し、前記吸遮音室と前記共鳴管路とを仕切る仕切板と、を備えてよい。この場合、背面板に設けられた突出部を利用して、吸遮音室及び共鳴管路を容易に形成することができる。
【００１０】
本発明に係る吸音パネルは、前記仕切板からなる底部と前記底部の周縁から前記正面板に向けて延出した側部とを有し、内部に前記吸遮音室が形成される箱体を備えてよい。この場合、吸遮音材の設置を容易に行うことができる。
【００１１】
前記箱体の内部に前記吸遮音材として吸音材が配置され、前記箱体の側部の少なくとも一部が通音性及び音減衰性を有してよい。この場合、箱体の側部にも吸音構造を適用したことで、低周波数帯域における幅広い帯域の音に対する吸音率を向上させることができる。
【００１２】
前記突出部は、先端に前記箱体の底部が配置された第１突出部と、前記第１突出部の側方において前記第１突出部よりも前記正面板に向けてさらに突出して先端に前記正面板が配置された第２突出部とを含み、前記箱体の側方の空間が、前記第２突出部によって区画され、複数の前記入口部を形成してよい。この場合、箱体の側方の空間が区画されない場合に比べ、共鳴管路の長さを長くすることができるため、より低い周波数帯域の音に対する吸音率を向上させることができると共に、吸音対象となる周波数帯域が同じ条件において、吸音パネルの小型化を図ることができる。
【００１３】
前記正面板の少なくとも一部が音減衰性をさらに有してよい。この場合、後に実施例で示すように、正面板が音減衰性を有さない場合に比べ、低周波数帯域における幅広い帯域の音に対する吸音率を向上させることができる。
【００１４】
前記吸遮音室と前記背面板とで挟まれた領域に、管路長が互いに異なる複数の前記共鳴管路が形成されてよい。この場合、共鳴管路毎に共鳴周波数が異なることとなり、幅広い周波数帯域（例えば、複数の音源）の音に対する吸音率を向上させることができる。
【００１５】
前記吸遮音室と前記背面板とで挟まれた領域に、前記入口部に接続する一端から前記背面板に沿った一方向に延在する第１管路部と前記第１管路部の他端に接続して前記他端から前記一方向と逆の方向に延在する第２管路部とを有する前記共鳴管路が形成されてよい。この場合、共鳴管路の長さを長くすることができるため、より低い周波数帯域の音に対する吸音率を向上させることができる。
【００１６】
前記吸遮音室と前記背面板とで挟まれた領域に、当該吸音パネルの厚み方向に並ぶ複数の前記共鳴管路が形成されてよい。この場合、共鳴管路毎に共鳴周波数が異なることとなり、幅広い周波数帯域（例えば、複数の音源）の音に対する吸音率を向上させることができる。
【発明の効果】
【００１７】
本発明によれば、共鳴管路が、正面板側に配置された入口部から、吸遮音室と背面板とで挟まれた領域まで延在する。つまり、共鳴管路が、吸遮音室と同一層に配置された部分と、吸遮音室よりも背面板側に配置された部分とを有する。これにより、共鳴による吸音面積を大きくすることができる。したがって、本発明によれば、吸遮音室を設けることで高周波数帯域の音に対する吸音効果又は遮音効果を発揮させつつ、共鳴管路を上記のように構成することで共鳴による吸音面積を大きくして低周波数帯域の音に対する吸音率を向上させることができる。
【図面の簡単な説明】
【００１８】
【図１】本発明の第１実施形態に係る吸音パネルを示す平面図である。
【図２】本発明の第１実施形態に係る吸音パネルを示す図１のＩＩ−ＩＩ線に沿った断面図である。
【図３】本発明の第１実施形態に係る吸音パネルを示す図１のＩＩＩ−ＩＩＩ線に沿った断面図である。
【図４】本発明の第２実施形態に係る吸音パネルを示す図３に対応する断面図である。
【図５】本発明の第３実施形態に係る吸音パネルを示す平面図である。
【図６】本発明の第３実施形態に係る吸音パネルを示す図５のＶＩ−ＶＩ線に沿った断面図である。
【図７】本発明の第４実施形態に係る吸音パネルを示す図３に対応する断面図である。
【図８】本発明の第４実施形態に係る吸音パネルの箱体を示す平面図である。
【図９】本発明の第５実施形態に係る吸音パネルを示す平面図である。
【図１０】本発明の第５実施形態に係る吸音パネルを示す図９のＸ−Ｘ線に沿った断面図である。
【図１１】本発明の第６実施形態に係る吸音パネルを示す平面図である。
【図１２】本発明の第７実施形態に係る吸音パネルを示す平面図である。
【図１３】本発明の第８実施形態に係る吸音パネルを示す図６に対応する断面図である。
【図１４】本発明の比較例、第１実施例及び第２実施例に係る吸音パネルの吸音率を示すグラフである。
【発明を実施するための形態】
【００１９】
＜第１実施形態＞
本発明の第１実施形態に係る吸音パネル１００（図１〜図３参照）は、例えば、道路、鉄道等における騒音や、機器（エンジン、圧縮機、ポンプ、モータ等）周辺における騒音を低減するために、単体で、又は、複数を組み合わせて箱状（吸音パネル１００を各面に配した六面体等）に形成して、使用される。
【００２０】
吸音パネル１００は、正面板１と、正面板１と空間を介して対向する背面板２と、正面板１と背面板２とをこれらの外縁において接続する側面板３と、背面板２と側面板３とで構成される容器内に配置された４つの箱体４とを備えている。正面板１は、多数の貫通孔１ｘが形成されており、通音性（音を通過させる性能）及び音減衰性（音を減衰させる性能）を有する。背面板２及び側面板３は、遮音性（音を遮断する性能）を有する。吸音パネル１００は、正面板１が音源と対向するように配置され、吸音方向（正面板１から背面板２に向かう方向）Ａからみて矩形状である。
【００２１】
背面板２における正面板１と対向する面（図２及び図３の上面）には、正面板１に向けて突出した複数のリブ２ｐが形成されている。各リブ２ｐは、突出長さが側面板３よりも短く、背面板２を補強する機能、及び、箱体４を支持する機能を有する。吸音パネル１００の幅方向（図１の上下方向）中央において１本のリブ２ｐが吸音パネル１００の長手方向（図１の左右方向）に延在し、かつ、吸音パネル１００の長手方向に一定の間隔をなして７本のリブ２ｐがそれぞれ吸音パネル１００の幅方向に延在している。
【００２２】
４つの箱体４は、図１に示すように、吸音パネル１００の長手方向に並び、かつ、それぞれ吸音パネル１００の幅方向に対向する一対の側面板３から離隔している。各箱体４は、図２及び図３に示すように、上面（正面板１と対向する面）が開口した容器状の部材であり、底部４ａと、底部４ａの周縁から正面板１に向けて延出した側部４ｂ１，４ｂ２とを有する。各箱体４の内部には、吸遮音室５が形成されている。各箱体４の底部４ａと背面板２とで挟まれた領域には、中空の共鳴管路６が形成されている。底部４ａは、正面板１と背面板２との間の空間において正面板１及び背面板２のそれぞれと対向し、吸遮音室５と共鳴管路６とを仕切る仕切板に該当する。
【００２３】
吸遮音室５には、吸音性（音を吸収する性質）及び遮音性の少なくとも一方を有する吸遮音材（本実施形態では、吸音性を有する吸音材５ｘ）が配置される。吸音材５ｘは、例えば、グラスウール、フェルト、ウレタン、金属繊維等からなる多孔質部材であってよい。吸遮音室５は、正面板１と背面板２との間の空間の正面板１側に配置された入射部５ａを有すると共に、底部４ａがリブ２ｐの先端に配置されることで、全体が背面板２から離隔するように正面板１と背面板２との間の空間に設けられている。本実施形態において、入射部５ａは、箱体４の上面の開口部に該当する。
【００２４】
各箱体４において、吸音パネル１００の幅方向に対向する一対の側部４ｂ２は、図３に示すように、多数の貫通孔４ｘが形成されており、通音性及び音減衰性を有する。
【００２５】
本実施形態では、貫通孔１ｘ，４ｘの直径や正面板１及び側部４ｂ２の開口率を適宜設定することで、正面板１及び側部４ｂ２に音減衰性が付与されている。貫通孔１ｘ，４ｘの直径は、例えば０．３〜３．０ｍｍである。正面板１及び側部４ｂ２の開口率は、例えば１０％以下である。正面板１及び側部４ｂ２に入射した音は、貫通孔１ｘ，４ｘを通過する際に減衰する。具体的には、貫通孔１ｘ，４ｘの内部の空気を質量、貫通孔１ｘ，４ｘに対する音の入射方向において貫通孔１ｘ，４ｘよりも下流側の空気をバネとした振動系が形成され、この振動系の固有振動数と同じ周波数（共鳴周波数）の音が入射したときに共鳴が生じ、貫通孔１ｘ，４ｘの内部の空気の運動エネルギーが当該空気と貫通孔１ｘ，４ｘ壁面との摩擦により減衰し、吸音効果が発揮される。
【００２６】
共鳴管路６は、正面板１と背面板２との間の空間の背面板２側において、背面板２に沿った面内全体に設けられている。本実施形態では、図１に示すように、各箱体４に対して４つの共鳴管路６が設けられている。換言すると、吸音パネル１００の幅方向に並ぶ２つの共鳴管路６の組が吸音パネル１００の長手方向に８つ並び、計１６の共鳴管路６が設けられている。これら１６の共鳴管路６のうち、吸音パネル１００の長手方向に並ぶ８つの共鳴管路６が、それぞれ共通の入口部６ａを有する。入口部６ａは、吸音パネル１００の幅方向の一端及び他端のそれぞれにおいて吸音パネル１００の長手方向に延在している。
【００２７】
入口部６ａは、図３に示すように、入射部５ａと同様、正面板１と背面板２との間の空間の正面板１側に配置された部分である。入口部６ａは、正面板１に沿った面内において入射部５ａと並んでいる。
【００２８】
各共鳴管路６は、図３に示すように、入口部６ａから、正面板１と背面板２との間の空間の背面板２側において吸遮音室５と背面板２とで挟まれた領域まで延在しており、側方から見て９０°に折れ曲がった形状を有する。本実施形態では、吸音パネル１００の幅方向の一端側（図１の上側）において吸音パネル１００の長手方向に並ぶ８つの共鳴管路６は、それぞれ、吸音パネル１００の幅方向の一端側に配置された入口部６ａから、正面板１と背面板２との間の空間の背面板２側において吸遮音室５と背面板２とで挟まれた領域まで延在している。吸音パネル１００の幅方向の他端側（図１の下側）において吸音パネル１００の長手方向に並ぶ８つの共鳴管路６は、それぞれ、吸音パネル１００の幅方向の他端側に配置された入口部６ａから、正面板１と背面板２との間の空間の背面板２側において吸遮音室５と背面板２とで挟まれた領域まで延在している。
【００２９】
入射部５ａ及び入口部６ａを音源の位置に合わせて配置することで、所望の吸音効果が得られる。
【００３０】
なお、正面板１、背面板２、リブ２ｐ、側面板３及び箱体４は、任意の材料（例えば、アルミニウム、鉄、鋼等の金属、又は、樹脂）で構成されてよい。また、正面板１、背面板２、リブ２ｐ、側面板３及び箱体４は、互いに同じ材料で構成されてもよいし、互いに異なる材料で構成されてもよい。正面板１、背面板２、リブ２ｐ、側面板３及び箱体４は、任意の固定手段（例えば、ネジ、接着剤、リベット接合、溶接、又は、超音波圧着）により互いに固定されてよい。貫通孔１ｘ，４ｘは、任意の加工（パンチング加工、エンボス加工等）により形成されてよい。
【００３１】
また、正面板１における複数の貫通孔１ｘの構成は、正面板１全体で同じであってもよいし、正面板１の領域毎に異なってもよい。前者の場合、正面板１の作製が容易であり、生産性を向上させることができる。後者の場合、例えば、正面板１における入射部５ａ及び入口部６ａのそれぞれに対向する領域で構成を変えること（入射部５ａに対向する領域の開口率を３０％以上とし、入口部６ａに対向する領域の開口率を１０％以下とする等）により、吸遮音室５及び共鳴管路６のそれぞれにおける吸音性能を最適にすることができる。
【００３２】
以上に述べたように、第１実施形態によれば、共鳴管路６が、正面板１側に配置された入口部６ａから、吸遮音室５と背面板２とで挟まれた領域まで延在する。つまり、共鳴管路６が、吸遮音室５と同一層に配置された部分と、吸遮音室５よりも背面板２側に配置された部分とを有する。これにより、共鳴による吸音面積を大きくすることができる。即ち、本実施形態によれば、吸遮音室５を設けることで高周波数帯域の音に対する吸音効果又は遮音効果を発揮させつつ、共鳴管路６を上記のように構成することで共鳴による吸音面積を大きくして低周波数帯域の音に対する吸音率を向上させることができる。
【００３３】
また、入口部６ａが正面板１側に配置されているため、音源からの音を直接共鳴管路６に導くことができる。さらに、正面板１に沿った面内において入射部５ａと入口部６ａとが並んでいるため、音源に対する配置設計がし易く、所望の吸音効果を得ることができる。
【００３４】
吸遮音室５の全体が背面板２から離隔しており、正面板１と背面板２との間の空間の背面板２側の背面板２に沿った面内全体に共鳴管路６が設けられている。この場合、共鳴による吸音面積をより確実に大きくすることができ、低周波数帯域の音に対する吸音率をより一層向上させることができる。
【００３５】
吸音パネル１００は、背面板２における正面板１と対向する面から正面板１に向けて突出したリブ２ｐと、リブ２ｐの先端に配置され、正面板１と背面板２との間の空間において正面板１及び背面板２のそれぞれと対向し、吸遮音室５と共鳴管路６とを仕切る仕切板（底部４ａ）とを備えている。この場合、背面板２に設けられたリブ２ｐを利用して、吸遮音室５及び共鳴管路６を容易に形成することができる。
【００３６】
吸音パネル１００は、内部に吸遮音室５が形成される箱体４を備えている。この場合、吸遮音材の設置を容易に行うことができる。
【００３７】
箱体４の内部に吸遮音材として吸音材５ｘが配置され、箱体４の側部４ｂ２が通音性及び音減衰性を有する。この場合、箱体４の側部４ｂ２にも吸音構造を適用したことで、低周波数帯域における幅広い帯域の音に対する吸音率を向上させることができる。
【００３８】
正面板１が、通音性のみならず、音減衰性を有する。この場合、後に実施例で示すように、正面板１が音減衰性を有さない場合に比べ、低周波数帯域における幅広い帯域の音に対する吸音率を向上させることができる。
【００３９】
＜第２実施形態＞
本発明の第２実施形態に係る吸音パネル１００（図４参照）は、貫通孔１ｘの直径が比較的大きく正面板１が音減衰性を有さない点、箱体４及び吸音材５ｘではなく遮音材５ｙが設けられている点において第１実施形態と異なり、それ以外は第１実施形態と同様である。本実施形態では、遮音材５ｙが配置された空間が吸遮音室５に該当し、遮音材５ｙの上面（正面板１と対向する面）が入射部５ａに該当する。遮音材５ｙは、例えば、コンクリート製、金属製、木製等の中空又は中実の部材（鋼板、コンクリート壁、ベニヤ板等）であってよい。
【００４０】
第２実施形態によれば、第１実施形態と同様の構成による上記と同様の効果を得ることができると共に、吸遮音室５に吸遮音材として遮音材５ｙを配置したことで、遮音材５ｙと背面板２との２重壁により遮音性能を向上させることができる。
【００４１】
＜第３実施形態＞
本発明の第３実施形態に係る吸音パネル１００（図５及び図６参照）は、リブ２ｐ、箱体４、入射部５ａ及び入口部６ａの構成において第１実施形態と異なり、それ以外は第１実施形態と同様である。
【００４２】
本実施形態では、吸音パネル１００の幅方向（図５の上下方向）中央において吸音パネル１００の長手方向（図５の左右方向）に延在する１本のリブ２ｐは、突出長さが側面板３と同じであって、先端に箱体４ではなく正面板１が配置されている（図６参照）。即ち、当該リブ２ｐは、背面板２を補強する機能を有し、箱体４を支持する機能を有さない。吸音パネル１００の長手方向に一定の間隔をなして配置されたリブ２ｐは、それぞれ、先端に箱体４の底部４ａが配置された第１突出部２ｐ１と、第１突出部２ｐ１の側方において第１突出部２ｐ１よりも正面板１に向けてさらに突出して先端に正面板１が配置された第２突出部２ｐ２とを含む。これにより、箱体４の側方の空間が、第２突出部２ｐ２によって区画され、複数の入口部６ａを形成している（図５参照）。
【００４３】
本実施形態では、図５に示すように、吸音パネル１００の長手方向に並ぶ４つの箱体４の組が吸音パネル１００の幅方向一端側（図５の上側）及び他端側（図５の下側）にそれぞれ配置され、計８つの箱体４が設けられている。吸音パネル１００の幅方向に対向する２つの箱体４は、吸音パネル１００の幅方向中央に配置されたリブ２ｐを挟んで、吸音パネル１００の幅方向に互いに離隔している。各箱体４は、図６に示すように、一対の側部４ｂ２の両方ではなく片方のみ、多数の貫通孔４ｘが形成されており、通音性及び音減衰性を有する。
【００４４】
本実施形態では、図５に示すように、箱体４に対応して８つの入射部５ａが設けられている。入口部６ａは共鳴管路６毎に設けられており、各箱体４に対して２つずつ計１６の入口部６ａが形成されている。これら入口部６ａは、全体として吸音パネル１００の幅方向中央において吸音パネル１００の長手方向に延在すると共に、第２突出部２ｐ２によって区画されている。
【００４５】
第３実施形態によれば、第１実施形態と同様の構成による上記と同様の効果を得ることができると共に、さらに以下のような効果を得ることができる。
【００４６】
リブ２ｐが、先端に箱体４の底部４ａが配置された第１突出部２ｐ１と、第１突出部２ｐ１の側方において第１突出部２ｐ１よりも正面板１に向けてさらに突出して先端に正面板１が配置された第２突出部２ｐ２とを含み、箱体４の側方の空間が、第２突出部２ｐ２によって区画され、複数の入口部６ａを形成している。この場合、箱体４の側方の空間が区画されない場合に比べ、共鳴管路６の長さを長くすることができるため、より低い周波数帯域の音に対する吸音率を向上させることができると共に、吸音対象となる周波数帯域が同じ条件において、吸音パネル１００の小型化を図ることができる。
【００４７】
＜第４実施形態＞
本発明の第４実施形態に係る吸音パネル１００（図７及び図８参照）は、箱体４及び入口部６ａの構成において第１実施形態と異なり、それ以外は第１実施形態と同様である。
【００４８】
本実施形態では、側部４ｂ２に貫通孔４ｘが形成されていない。また、各側部４ｂ２に、第３実施形態に係る第２突出部２ｐ２の一部となる延出部２ｐ２２が設けられている。延出部２ｐ２２は、各側部４ｂ２の外面から、当該外面と直交する方向に延出している。箱体４を背面板２と側面板３とで構成される容器内に配置すると、延出部２ｐ２２と、第３実施形態に係る第１突出部２ｐ１の側方にあるリブ片２ｐ２１とが接触し、延出部２ｐ２２とリブ片２ｐ２１とで第３実施形態に係る第２突出部２ｐ２が形成される。
【００４９】
本実施形態では、第３実施形態と同様、箱体４の側方の空間が、第２突出部２ｐ２によって区画され、複数の入口部６ａを形成している。
【００５０】
第４実施形態によれば、第１実施形態と同様の構成による上記と同様の効果を得ることができると共に、さらに以下のような効果を得ることができる。
【００５１】
第３実施形態と同様、リブ２ｐが第１突出部２ｐ１と第２突出部２ｐ２とを含み、箱体４の側方の空間が、第２突出部２ｐ２によって区画され、複数の入口部６ａを形成している。したがって、第３実施形態で述べた効果と同様の効果（即ち、より低い周波数帯域の音に対する吸音率を向上させることができると共に、吸音対象となる周波数帯域が同じ条件において、吸音パネル１００の小型化を図ることができるという効果）を得ることができる。
【００５２】
＜第５実施形態＞
本発明の第５実施形態に係る吸音パネル１００（図９及び図１０参照）は、リブ２ｐの配置（及び、これにより複数の共鳴管路６において管路長に違いが生じている点）において第１実施形態と異なり、それ以外は第１実施形態と同様である。
【００５３】
本実施形態では、吸音パネル１００の長手方向（図９の左右方向）に延在する１本のリブ２ｐが、吸音パネル１００の幅方向（図９の上下方向）中央ではなく、当該中央よりも吸音パネル１００の幅方向の他端側（図９の下側）に配置されている。これにより、吸音パネル１００の幅方向に隣接して配置される２つの共鳴管路６の管路長が互いに異なっている。
【００５４】
第５実施形態によれば、第１実施形態と同様の構成による上記と同様の効果を得ることができると共に、さらに以下のような効果を得ることができる。
【００５５】
吸遮音室５と背面板２とで挟まれた領域に、管路長が互いに異なる複数の共鳴管路６が形成されている。この場合、共鳴管路６毎に共鳴周波数が異なることとなり、幅広い周波数帯域（例えば、複数の音源）の音に対する吸音率を向上させることができる。
【００５６】
＜第６実施形態＞
本発明の第６実施形態に係る吸音パネル１００（図１１参照）は、リブ２ｐ、箱体４、入射部５ａ、入口部６ａ及び共鳴管路６の構成において第１実施形態と異なり、それ以外は第１実施形態と同様である。
【００５７】
本実施形態では、吸音パネル１００の幅方向（図１１の上下方向）中央に１本、その両側に２本、計３本のリブ２ｐが吸音パネル１００の長手方向（図１１の左右方向）にそれぞれ延在している。吸音パネル１００の幅方向に延在するリブ２ｐは、上記３本のリブ２ｐのうち吸音パネル１００の幅方向中央に設けられたリブ２ｐ以外の２本のリブ２ｐの外面から延びている。
【００５８】
本実施形態では、２つの箱体４が、吸音パネル１００の長手方向に並び、かつ、それぞれ側面板３から離隔している。箱体４に対応して、２つの入射部５ａが設けられている。入口部６ａは、正面板１の四辺に沿って、２つの入射部５ａを囲むように設けられている。共鳴管路６は、吸遮音室５と背面板２とで挟まれた領域において、吸音パネル１００の長手方向に延在する共鳴管路６（例えば、図１１に示す共鳴管路６ｘ）と、吸音パネル１００の幅方向に延在する共鳴管路６（例えば、図１１に示す共鳴管路６ｙ）とがあり、これらの管路長は互いに異なっている。
【００５９】
第６実施形態によれば、第１実施形態と同様の構成による上記と同様の効果を得ることができると共に、さらに以下のような効果を得ることができる。
【００６０】
第５実施形態と同様、吸遮音室５と背面板２とで挟まれた領域に、管路長が互いに異なる複数の共鳴管路６が形成されている（図１１の共鳴管路６ｘ，６ｙ参照）。この場合、共鳴管路６毎に共鳴周波数が異なることとなり、幅広い周波数帯域（例えば、複数の音源）の音に対する吸音率を向上させることができる。
【００６１】
＜第７実施形態＞
本発明の第７実施形態に係る吸音パネル１００（図１２参照）は、リブ２ｐ、箱体４、入射部５ａ、入口部６ａ及び共鳴管路６の構成において第１実施形態と異なり、それ以外は第１実施形態と同様である。
【００６２】
本実施形態では、吸音パネル１００の長手方向（図１２の左右方向）に延在するリブがなく、吸音パネル１００の幅方向（図１２の上下方向）に延在する複数のリブが吸音パネル１００の長手方向に沿って千鳥状に配置されている。
【００６３】
本実施形態では、２つの箱体４が、吸音パネル１００の長手方向の中央かつ吸音パネル１００の幅方向の一方側（図１２の上側）に設けられた入口部６ａを避けるように、吸音パネル１００の長手方向に並んで配置されている。また、当該入口部６ａを共有する２つの共鳴管路６が、吸音パネル１００の長手方向に並んで配置されている。各共鳴管路６は、吸遮音室５と背面板２とで挟まれた領域において、入口部６ａに接続する一端から背面板２に沿った一方向（図１２の下方向）に延在する第１管路部６１と、第１管路部６１の他端に接続して当該他端から上記一方向と逆の方向（図１２の上方向）に延在する第２管路部６２とを有する。
【００６４】
第７実施形態によれば、第１実施形態と同様の構成による上記と同様の効果を得ることができると共に、さらに以下のような効果を得ることができる。
【００６５】
吸遮音室５と背面板２とで挟まれた領域に、入口部６ａに接続する一端から背面板２に沿った一方向（図１２の下方向）に延在する第１管路部６１と、第１管路部６１の他端に接続して当該他端から上記一方向と逆の方向（図１２の上方向）に延在する第２管路部６２とを有する共鳴管路６が形成されている。この場合、共鳴管路６の長さを長くすることができるため、より低い周波数帯域の音に対する吸音率を向上させることができる。
【００６６】
＜第８実施形態＞
本発明の第８実施形態に係る吸音パネル１００（図１３参照）は、区画板８を設けることにより共鳴管路６が二層構造となっている点において第３実施形態と異なり、それ以外は第３実施形態と同様である。
【００６７】
第８実施形態によれば、第１実施形態と同様の構成による上記と同様の効果を得ることができると共に、さらに以下のような効果を得ることができる。
【００６８】
吸遮音室５と背面板２とで挟まれた領域に、当該吸音パネル１００の厚み方向（図１３の上下方向）に並ぶ２つの共鳴管路６が形成されている。この場合、共鳴管路６毎に共鳴周波数が異なることとなり、幅広い周波数帯域（例えば、複数の音源）の音に対する吸音率を向上させることができる。
【実施例】
【００６９】
本願発明者は、本発明の比較例、第１実施例及び第２実施例に係る吸音パネルのそれぞれについて吸音率を測定した。その結果を図１４に示す。
【００７０】
比較例に係る吸音パネルは、特許文献１のように、正面板と背面板との間の空間において吸音材と共鳴管とが交互に配置され、共鳴管路が吸音材と同一層に配置された構成を有する。第１実施例に係る吸音パネルは、第１実施形態の吸音パネル１００（図３参照）と同様の構成（即ち、貫通孔１ｘの直径が比較的小さく（例えば０．５〜１ｍｍ程度）、正面板１が音減衰性を有する構成）を有する。第２実施例に係る吸音パネルは、第１実施形態の吸音パネル１００（図３参照）において正面板１を第２実施形態のものに置換した構成（即ち、貫通孔１ｘの直径が比較的大きく（３ｍｍ超）、正面板１が音減衰性を有さない構成）を有する。
【００７１】
図１４から、低周波数帯域（特に２５０Ｈｚ以下の帯域）において、比較例よりも第１実施例及び第２実施例の方が、吸音率が高いことがわかる。また、第１実施例（正面板が音減衰性を有する構成）の方が、第２実施例（正面板が音減衰性を有さない構成）よりも、低周波数帯域（特に２５０Ｈｚ以下の帯域）における幅広い帯域の音に対して高い吸音率が得られることがわかる。具体的には、第２実施例の場合、２５０Ｈｚ以下の帯域において吸音率が０．５以上となるのは１２５Ｈｚの１帯域のみである。これに対し、第１実施例の場合、２５０Ｈｚ以下の帯域において吸音率が０．５以上となるのは８０〜２００Ｈｚの５帯域である。
【００７２】
さらに、図１４から、第１実施例及び第２実施例は、低周波数帯域（特に２５０Ｈｚ以下の帯域）において比較例よりも高い吸音率が得られると共に、高周波数帯域の音（ファン等を音源とする音）においても比較例と同等の吸音率が得られることがわかる。
【００７３】
以上、本発明の好適な実施の形態について説明したが、本発明は上述の実施形態に限られるものではなく、特許請求の範囲に記載した限りにおいて様々な設計変更が可能なものである。
【００７４】
・吸遮音室及び共鳴管路の構成は、音源の配置や周波数特性に合わせて適宜変更してよい。
・正面板や箱体の側部に音減衰性を付与するための手段として、上述の実施形態では貫通孔の直径や板の開口率を設定することを例示したが、これに限定されない。例えば、正面板や箱体の側部を金属多孔質材料（金属繊維、金属焼結材等）、繊維系材料、セラミック多孔質材料等で形成することで、正面板や箱体の側部に音減衰性を付与してもよい。
・共鳴管路は、背面板に沿った面内の全体ではなく一部に設けられてもよい。
【符号の説明】
【００７５】
１  正面板
１ｘ  貫通孔
２  背面板
２ｐ  リブ（突出部）
２ｐ１  第１突出部
２ｐ２  第２突出部
３  側面板
４  箱体
４ａ  底部（仕切板）
４ｂ１，４ｂ２  側部
４ｘ  貫通孔
５  吸遮音室
５ａ  入射部
５ｘ  吸音材（吸遮音材）
５ｙ  遮音材（吸遮音材）
６，６ｘ，６ｙ  共鳴管路
６ａ  入口部
６１  第１管路部
６２  第２管路部
１００  吸音パネル
Ａ  吸音方向
【図１】
2018066774.tif 000003
【図２】
2018066774.tif 000004
【図３】
2018066774.tif 000005
【図４】
2018066774.tif 000006
【図５】
2018066774.tif 000007
【図６】
2018066774.tif 000008
【図７】
2018066774.tif 000009
【図８】
2018066774.tif 000010
【図９】
2018066774.tif 000011
【図１０】
2018066774.tif 000012
【図１１】
2018066774.tif 000013
【図１２】
2018066774.tif 000014
【図１３】
2018066774.tif 000015
【図１４】
2018066774.tif 000016